(57)【要約】【課題】室内に設けられる各種入力スイッチの全体を対象として、入力スイッチの実形状を基に、直感的に分かり易い入力操作を可能とする操作装置を提供する。【解決手段】操作者の手のジェスチャによって、室内１１に設けられた所定機器に対する入力操作を行う操作装置において、表示部１２０にスイッチ画像１１０を表示させ、センサ部１３０からの検出信号を受けて、ジェスチャに基づく動きを示すジェスチャ画像１１１を、スイッチ画像１１０に対して合成すると共に、スイッチ画像１１０のうち操作者が希望する希望スイッチ画像１１２に対して、ジェスチャ画像１１１による所定の操作ジェスチャがあると、希望スイッチ画像１１２に対応するスイッチ信号を所定機器へ出力する制御部１４０を設ける。【選択図】図１
2018132824.tif 000002
【特許請求の範囲】
【請求項１】
操作者の手のジェスチャによって、室内（１１）に設けられた所定機器に対する入力操作を行う操作装置において、
前記所定機器用の各種入力スイッチ（２０）の全体を対象として、実体を反映したスイッチ画像（１１０）と、
前記スイッチ画像を表示する表示部（１２０）と、
予め定めた領域で、前記ジェスチャを検出するセンサ部（１３０）と、
前記表示部に前記スイッチ画像を表示させ、前記センサ部からの検出信号を受けて、前記ジェスチャに基づく動きを示すジェスチャ画像（１１１）を、前記スイッチ画像に対して合成すると共に、前記スイッチ画像のうち前記操作者が希望する希望スイッチ画像（１１２）に対して、前記ジェスチャ画像による所定の操作ジェスチャがあると、前記希望スイッチ画像に対応するスイッチ信号を前記所定機器へ出力する制御部（１４０）と、を備える操作装置。
【請求項２】
前記制御部は、前記スイッチ画像中の前記各種入力スイッチのうち、予め定めた前記操作者の行う領域選択ジェスチャに基づいて、選択された領域の入力スイッチを前記表示部に表示させる請求項１に記載の操作装置。
【請求項３】
前記制御部は、予め定めた前記操作者の行う拡大表示ジェスチャに基づき、前記表示部における前記希望スイッチ画像を拡大して表示させる請求項１または請求項２に記載の操作装置。
【請求項４】
前記制御部は、予め定めた前記操作者の行う開始ジェスチャから所定時間、あるいは前記開始ジェスチャから、予め定めた前記操作者の行う終了ジェスチャの間、前記センサ部からの前記検出信号を受付ける請求項１〜請求項３のいずれか１つに記載の操作装置。
【請求項５】
前記制御部は、前記所定の操作ジェスチャがあると、入力操作が成されたことを示す反応音を発生させると共に、前記希望スイッチ画像を発光表示させる請求項１〜請求項４のいずれか１つに記載の操作装置。
【請求項６】
前記制御部は、前記ジェスチャ画像を、前記操作者の実際の手の画像として形成する請求項１〜請求項５のいずれか１つに記載の操作装置。
【請求項７】
前記操作者の操作に基づいて、前記表示部における前記スイッチ画像の初期表示として、前記各種入力スイッチの全体のうち、所定の領域のスイッチの表示に切替え可能とする初期表示切替え部を有する請求項１〜請求項６のいずれか１つに記載の操作装置。
【請求項８】
前記制御部は、予め定めた前記操作者の行うスクロールジェスチャに基づいて、前記所定の領域のスイッチの表示をスクロール表示させる請求項７に記載の操作装置。
【請求項９】
車両（１０）に搭載され、
前記所定機器は、車載機器であり、
前記予め定めた領域は、前記車両のステアリング（１３）周囲の領域である請求項１〜請求項８のいずれか１つに記載の操作装置。
【発明の詳細な説明】
【技術分野】
【０００１】
本発明は、操作者のジェスチャ操作による入力を可能とする操作装置に関するものである。
【背景技術】
【０００２】
従来の操作装置として、特許文献１に記載されたものが知られている。即ち、特許文献１の操作装置（車載用ジェスチャースイッチ装置）は、車両に搭載され、画像表示装置、カメラ、センサ、およびコンピュータを備えている。
【０００３】
画像表示装置は、車両のインストルメントパネルの中央上部に配置されて、車載機器に対する操作用のスイッチとして、予め決められたスイッチ操作部（アイコン）を表示するようになっている。また、カメラは、画像表示装置の下部に設けられて、画像表示装置と運転席との間に設定された指定領域（仮想の操作空間）における運転者の手の動き（ジェスチャ操作）を撮影するようになっている。また、センサは、運転者の指定領域におけるジェスチャ操作のスタート動作、および終了動作を検出するようになっている。
【０００４】
そして、コンピュータは、センサによる動作検出信号に基づいて画像表示装置のスイッチ操作部に対応するジェスチャ操作が開始されたと判断すると、スイッチ操作部が操作されたことを示す応答表示を画像表示装置に行うと共に、ジェスチャ操作されたスイッチ操作部に対応する入力指示を車載機器に対して行うようになっている。
【０００５】
このように、特許文献１の操作装置では、画像表示装置のスイッチ操作部に直接触れずとも、空中でのジェスチャ操作によって、車載機器への入力操作が可能となっている。
【先行技術文献】
【特許文献】
【０００６】
【特許文献１】特開２０１０−１８４６００号公報
【発明の概要】
【発明が解決しようとする課題】
【０００７】
しかしながら、上記特許文献１では、画像表示装置に予め決められたスイッチ操作部の操作しかできず、入力操作の対象は、画像表示装置におけるスイッチ操作部に限定される。また、上記特許文献１では、スイッチ操作部は、画像表示装置で表示されるアイコンとなっており、車室内に搭載される実際のスイッチの形状を表示するものにはなっておらず、直感的な操作感覚が得られにくい。
【０００８】
本発明の目的は、上記問題に鑑み、室内に設けられる各種入力スイッチの全体を対象として、入力スイッチの実形状を基に、直感的に分かり易い入力操作を可能とする操作装置を提供することにある。
【課題を解決するための手段】
【０００９】
本発明は上記目的を達成するために、以下の技術的手段を採用する。
【００１０】
本発明では、操作者の手のジェスチャによって、室内（１１）に設けられた所定機器に対する入力操作を行う操作装置において、
所定機器用の各種入力スイッチ（２０）の全体を対象として、実体を反映したスイッチ画像（１１０）と、
スイッチ画像を表示する表示部（１２０）と、
予め定めた領域で、ジェスチャを検出するセンサ部（１３０）と、
表示部にスイッチ画像を表示させ、センサ部からの検出信号を受けて、ジェスチャに基づく動きを示すジェスチャ画像（１１１）を、スイッチ画像に対して合成すると共に、スイッチ画像のうち操作者が希望する希望スイッチ画像（１１２）に対して、ジェスチャ画像による所定の操作ジェスチャがあると、希望スイッチ画像に対応するスイッチ信号を所定機器へ出力する制御部（１４０）と、を備えることを特徴としている。
【００１１】
本発明によれば、室内（１１）に設定された所定機器用の各種入力スイッチ（２０）の全体を対象としたスイッチ画像（１１０）が表示部（１２０）に表示される。また、センサ部（１３０）によって、予め定めた領域で行われる操作者の手のジェスチャが検出される。そして、制御部（１４０）によって、表示部（１２０）には、ジェスチャに基づくジェスチャ画像（１１１）がスイッチ画像（１１０）に対して合成表示される。
【００１２】
操作者は、表示部（１２０）を見ながら、スイッチ画像（１１０）のうち、希望する希望スイッチ画像（１１２）に対して、予め定めた領域で所定の操作ジェスチャをすると、制御部（１４０）は、希望スイッチ画像（１１２）に対応するスイッチ信号を所定機器に出力する。
【００１３】
つまり、操作者は、実際の各種入力スイッチ（２０）に対して、手を延ばすことなく、あるいは実際には手の届かない領域のスイッチに対しても、各種入力スイッチ（２０）の全体を対象として、表示部（１２０）の画面上で、希望するスイッチの入力操作が可能となる。そして、スイッチ画像（１１０）は、各種入力スイッチ（２０）の実体を反映した画像となっているので、見慣れた実際の各種入力スイッチ（２０）を操作するような対応が可能となり、直感的に分かり易い入力操作が可能となる。
【００１４】
尚、上記各手段の括弧内の符号は、後述する実施形態記載の具体的手段との対応関係を
示すものである。
【図面の簡単な説明】
【００１５】
【図１】第１実施形態における操作装置の全体構成を示す構成図である。
【図２】車両における各種入力スイッチを示す説明図である。
【図３】操作装置の構成を示すブロック図である。
【図４】制御部が行う制御内容を示すフローチャートである。
【図５】運転者のジェスチャと表示部に表示される画像とを示す説明図である。
【発明を実施するための形態】
【００１６】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１７】
（第１実施形態）
第１実施形態の操作装置１００について図１〜図５を用いて説明する。本実施形態の操作装置１００は、車両１０に搭載されており（車両１０に適用されており）、操作者である運転者（ドライバ）、あるいは同乗者の手のジェスチャによって、各種車載機器（所定機器）に対する入力操作を行うものとなっている。以下、操作者は、主に運転者を例にして説明する。
【００１８】
図１〜図３に示すように、車両１０には、各種車載機器を作動させるための各種入力スイッチ（各種スイッチ群）２０が設けられている。各種車載機器としては、例えば、エアコン装置、オーディオ装置、電動シート装置、走行モード設定装置、パーキングブレーキ装置、ドアロック装置、各席のドアにおけるウインドウ開閉装置、および、後席におけるサンシェード装置等がある。
【００１９】
そして、各種入力スイッチ２０としては、エアコン用スイッチ２１、オーディオ用スイッチ２２、電動シート用スイッチ２３、走行モード設定用スイッチ２４、パーキングブレーキ用スイッチ２５、ドアロック用スイッチ２６ａ、各席ウインドウ用スイッチ２６ｂ、ウインドウ用スイッチ２７ａ、２８ａ、２９ａ、およびサンシェード用スイッチ２８ｂ、２９ｂ等がある。
【００２０】
尚、エアコン用スイッチ２１、オーディオ用スイッチ２２等は、更に、個々の作動設定を行うためのスイッチに分かれている。例えば、エアコン用スイッチ２１には、内外モード切替えスイッチ２１ａ、吹出しモード切替えスイッチ２１ｂ、風量切替えスイッチ２１ｃ、温度設定スイッチ２１ｄ等が設けられている。
【００２１】
各種入力スイッチ２０が、運転者、あるいは同乗者によって直接的に操作されると、コントローラ２０Ａ（図３）によって、各種車載機器は、作動されるようになっている。
【００２２】
各種入力スイッチ２０のうち、エアコン用スイッチ２１、オーディオ用スイッチ２２、電動シート用スイッチ２３、走行モード設定用スイッチ２４、およびパーキングブレーキ用スイッチ２５は、インストルメントパネル１２の中央部で、運転者と向かい合う面に設けられている。また、ドアロック用スイッチ２６ａ、各席ウインドウ用スイッチ２６ｂは、運転席側ドア１４に設けられている。また、ウインドウ用スイッチ２７ａは、助手席側ドア１５に設けられている。また、ウインドウ用スイッチ２８ａ、サンシェード用スイッチ２８ｂは、右後席側ドア１６に設けられている。また、ウインドウ用スイッチ２９ａ、サンシェード用スイッチ２９ｂは、左後席側ドア１７に設けられている。
【００２３】
エアコン用スイッチ２１、オーディオ用スイッチ２２、電動シート用スイッチ２３、ドアロック用スイッチ２６ａ、各席ウインドウ用スイッチ２６ｂ、ウインドウ用スイッチ２７ａ、２８ａ、２９ａ、サンシェード用スイッチ２８ｂ、２９ｂは、例えば、プッシュ式のスイッチとなっている。また、走行モード設定用スイッチ２４は、例えば、ダイヤル式のスイッチとなっている。
【００２４】
操作装置１００は、スイッチ画像１１０、表示部１２０、センサ部１３０、および制御部１４０等を備えている。
【００２５】
スイッチ画像１１０は、室内１１に設定された各種入力スイッチ２０の全体を対象として、実体を反映した画像となっており、例えば、後述する制御部１４０の記憶部（ＲＯＭ）に記憶されている。スイッチ画像１１０は、ここでは、例えば、実形状のまま予め撮影された撮影画像となっており、運転者にとっては見慣れた画像となっている。尚、スイッチ画像１１０としては、上記のような撮影画像に代えて、実体に準ずるように作成されたＣＧ（コンピュータグラフィックス）の画像等としてもよい。そして、スイッチ画像１１０は、後述するように運転者のジェスチャが行われている間、後述する表示部１２０に表示されるようになっている。
【００２６】
表示部１２０は、例えば、液晶ディスプレイ、あるいは有機ＥＬディスプレイ等によって形成されており、運転者の見やすい位置、例えば、インストルメントパネル１２の中央上部に設けられている。表示部１２０は、通常は、例えば、ナビゲーション装置用の表示部として、地図情報、自車位置情報、および目的地案内情報等を表示するようになっているが、運転者によるジェスチャが行われている間、後述する制御部１４０により表示制御されて、スイッチ画像１１０、および手の画像１１１等を表示するようになっている。
【００２７】
センサ部１３０は、ステアリング１３の周囲の領域（予め定めた領域）で、運転者の手のジェスチャを検出するものとなっており、例えば、運転者側のＡピラーの上部に設けられている。センサ部１３０は、例えば、カメラ（２Ｄ）、ステレオカメラ（３Ｄ）、あるいはＴＯＦ（Ｔｉｍｅ  Ｏｆ  Ｆｌｉｇｈｔ）方式を用いたＴＯＦカメラが使用されて、運転者の手（指）の位置、動き（ジェスチャ）を検出するものとなっている。センサ部１３０は、検出した検出信号を後述する制御部１４０に出力するようになっている。
【００２８】
制御部１４０は、中央演算処理装置としてのＣＰＵ、演算を行うＲＡＭ、演算用プログラム、各種データ等を記憶するＲＯＭ等を有するコンピュータから形成されている。制御部１４０は、センサ部１３０からの検出信号に基づいて、表示部１２０にスイッチ画像１１０を表示させ、また、運転者のジェスチャに基づく動きを示すジェスチャ画像（手の画像１１１）を形成して、スイッチ画像１１０に対して合成するようになっている。
【００２９】
更に、制御部１４０は、スイッチ画像１１０のうち運転者が操作対象として希望する希望スイッチ画像１１２に対して、ジェスチャ画像による所定の操作ジェスチャがあると、希望スイッチ画像１１２に対応するスイッチ信号を車載機器へ出力するようになっている（詳細後述）。
【００３０】
尚、運転者が行うジェスチャは、以下のものが予め設定され、制御部１４０に記憶されており、制御部１４０は、ジェスチャの種類に応じて、入力操作のための制御を行うようになっている。
【００３１】
運転者が行うジェスチャとしては、開始ジェスチャ、領域選択ジェスチャ、拡大表示ジェスチャ、所定の操作ジェスチャ、および終了ジェスチャ等がある。
【００３２】
開始ジェスチャは、運転者によるジェスチャ操作を開始することを示すジェスチャであり、例えば、親指を除く４本の指を上に向けて立てるようにしたジェスチャとして設定されている。
【００３３】
領域選択ジェスチャは、各種入力スイッチ２０の全体が撮影されたスイッチ画像１１０のうち、運転者が希望するスイッチ群の領域（インストルメントパネル中央領域なのか、右後席側あるいは左後席側の領域なのか等）を選択することを示すジェスチャであり、例えば、スイッチ画像１１０に対して選択したい領域を人差し指で円を描くようにしたジェスチャとして設定されている。
【００３４】
拡大表示ジェスチャは、希望するスイッチ群の中で、運転者が操作対象として希望するスイッチ周りを拡大表示することを示すジェスチャであり、例えば、スイッチ画像１１０に対して希望するスイッチを狙うように、手を少し前に移動させるようにしたジェスチャとして設定されている。
【００３５】
所定の操作ジェスチャは、希望するスイッチに対して、実際のスイッチ操作と同様の入力動作を行うことを示すジェスチャであり、例えば、プッシュ式のスイッチであれば、人差し指で押すようにしたジェスチャ、また、ダイヤル式のスイッチであれば、２本の指で摘まんで回転させるようなジェスチャとして設定されている。
【００３６】
終了ジェスチャは、運転者によるジェスチャ操作を終了することを示すジェスチャであり、例えば、親指を除く４本の指を車両前方側に向けて倒すようにしたジェスチャとして設定されている。
【００３７】
本実施形態の操作装置１００は、以上のように構成されており、次に、制御部１４０が実行する入力操作制御の内容について、図４、図５を加えて説明する。
【００３８】
図４に示すフローチャートにおいて、まず、ステップＳ１００で、制御部１４０は、センサ部１３０からの検出信号（以下、カメラ画像）に基づき、運転者による開始ジェスチャ（４本指を立てる）を認識すると、システムを起動させる。このとき、制御部１４０は、表示部１２０にスイッチ画像１１０（図２の室内１１における全体のスイッチイメージの画像）を表示させる（図５（１））。
【００３９】
次に、ステップＳ１１０で、制御部１４０は、センサ部１３０からのカメラ画像を基に、運転者の手の位置、姿勢を認識し、スイッチ画像１１０内の所定位置、例えば、中央部に手の画像１１１を合成表示させる（図５（１））。手の画像１１１は、運転者の実際の手の動きに応じた画像となって表示されるものであり、主に手首から指先側が実画像となっており、手首から腕側においては、透けて見えるような画像となっている。手の画像１１１は、本発明におけるジェスチャ画像に対応する。
【００４０】
次に、ステップＳ１２０で、制御部１４０は、カメラ画像から運転者の上下左右の手振り動作を検出したら、手の画像１１１を同様に上下左右に移動させるように表示する。制御部１４０は、最初に運転者の手を検出した時点で、その時の手の位置座標を、スイッチ画像１１０の中央部に設定し、あとは、その中央部位置を基準として、手振り動作に伴う手の位置を相対的に定義して、スイッチ画像１１０上で手の画像１１１を移動表示するようになっている。
【００４１】
次に、ステップＳ１３０で、制御部１４０は、カメラ画像から運転者による領域選択ジェスチャ（指で円を描く）を認識すると、室内１１における全体のスイッチ画像１１０から選択された領域のスイッチ画像１１０を表示させる。図５（２）では、例えば、インストルメントパネル１２の中央部におけるスイッチ群（各スイッチ２１〜２５）の領域が選択されて、表示された状態を示している。
【００４２】
次に、ステップＳ１４０で、制御部１４０は、カメラ画像から運転者による拡大表示ジェスチャ（希望スイッチに向けて手を前に移動）を認識すると、希望対象として選択されたスイッチ（およびその周り）を所定のサイズで拡大して、希望スイッチ画像１１２として表示させる（図５（３））。
【００４３】
次に、ステップＳ１５０で、制御部１４０は、カメラ画像から運転者による希望スイッチ画像１１２に対する所定の操作ジェスチャ（プッシュあるいは回転等の入力動作）を認識すると、希望スイッチ画像１１２に対してオン判定する。
【００４４】
そして、ステップＳ１６０で、制御部１４０は、希望スイッチ画像１１２に対応する実際のスイッチにオン指令信号を出力する。即ち、希望スイッチ画像１１２に対応する実際のスイッチのスイッチ信号をコントローラ２０Ａに出力させて、対応する車載機器に出力して、作動させる（図５（５））。併せて、制御部１４０は、所定のスピーカ等から、スイッチが操作されたことを示す反応音（例えば、ピッという音）を出力させると共に、希望スイッチ画像１１２の周囲を発光させる（図５（４））。つまり、スイッチ画像１１０上において仮想操作されたものではあるものの、実際のスイッチが操作されたかのごとく運転者に実感できるような反応（音と光）を示すのである。
【００４５】
そして、ステップＳ１７０で、カメラ画像から運転者による終了ジェスチャ（４本の指を倒す）を認識すると、一連の入力操作制御を終了する。終了ジェスチャがないと認識すると、ステップＳ１００〜ステップＳ１７０を繰り返す。
【００４６】
以上のように本実施形態によれば、室内１１に設定された車載機器用の各種入力スイッチ２０の全体を対象としたスイッチ画像１１０が表示部１２０に表示される。また、センサ部１３０によって、車両１０のステアリング１３の周囲で行われる運転者の手のジェスチャが検出される。そして、制御部１４０によって、表示部１２０には、ジェスチャに基づく手の画像１１１（ジェスチャ画像）がスイッチ画像１１０に対して合成表示される。
【００４７】
運転者は、表示部１２０を見ながら、スイッチ画像１１０のうち、希望する希望スイッチ画像１１２に対して、ステアリング１３の周囲で所定の操作ジェスチャをすると、制御部１４０は、希望スイッチ画像１１２に対応するスイッチ信号を車載機器に出力する。
【００４８】
つまり、車両１０においては、図２で説明したように、各種入力スイッチ２０は、インストルメントパネル１２に限らず、各ドア１４〜１７等にも設けられており、運転者の手の届くものや、手の届かないものがある。よって、本実施形態では、運転者は、実際の各種入力スイッチ２０に対して、手を延ばすことなく、あるいは実際には手の届かない領域のスイッチに対しても、各種入力スイッチ２０の全体を対象として、表示部１２０の画面上で、希望するスイッチの入力操作が可能となる。例えば、運転席に居ながら後席のサンシェード用スイッチ２８ｂ、２９ｂの操作が可能となる。そして、スイッチ画像１１０は、各種入力スイッチ２０の実体を反映した画像となっているので、見慣れた実際の各種入力スイッチ２０を操作するような対応が可能となり、直感的に分かり易い入力操作が可能となる。
【００４９】
また、運転者は、ステアリング１３の周囲で行うジェスチャによって入力操作が可能なことから、ステアリング１３から離れた位置でジェスチャを行う必要がないため、運転に支障をきたすことがなく、安全運転を継続することができる。
【００５０】
また、本実施形態では、制御部１４０は、スイッチ画像１１０中の各種入力スイッチ２０のうち、予め定めた運転者の行う領域選択ジェスチャに基づいて、選択された領域の入力スイッチを表示部１２０に表示させるようにしている。これにより、運転者が選択した領域の入力スイッチの入力操作を容易に行うことができる。
【００５１】
また、本実施形態では、制御部１４０は、予め定めた運転者の行う拡大表示ジェスチャに基づき、表示部１２０における希望スイッチ画像１１２を拡大して表示させるようにしている。これにより、希望するスイッチに対して、確実に且つ容易に入力操作することが可能になる。
【００５２】
また、本実施形態では、制御部１４０は、予め定めた運転者の行う開始ジェスチャから終了ジェスチャの間、センサ部１３０からの検出信号（カメラ画像）を受付けるようにしている。これにより、この間においては、運転者のジェスチャを確実に反映した入力操作が可能となる。換言すると、開始ジェスチャから終了ジェスチャの間以外のときは、運転者の手の動きをジェスチャとして受付けないので、運転者の意に反するような入力操作制御をしてしまうことがなくなる。
【００５３】
また、本実施形態では、制御部１４０は、所定の操作ジェスチャがあると、入力操作が成されたことを示す反応音を発生させると共に、希望スイッチ画像１１２を発光表示させるようにしている。これにより、スイッチ画像１１０上における仮想操作であっても、あたかも実際のスイッチが操作されたかのごとく運転者は実感（認識）することができる。
【００５４】
また、本実施形態では、制御部１４０は、ジェスチャ画像を、運転者の実際の手の画像１１１として形成するようにしている。これにより、運転者は、リアリティのある画像として認識することができる。
【００５５】
（その他の実施形態）
上記第１実施形態では、ジェスチャに基づく入力操作制御を開始する際に、室内１１の全体にわたる各種入力スイッチ２０のスイッチ画像１１０（図２に準ずる画像）を表示するようにしたが、これに限定されることなく、以下のようにしてもよい。
【００５６】
例えば、運転者の操作に基づいて、表示部１２０におけるスイッチ画像１１０の初期表示として、各種入力スイッチ２０の全体のうち、所定の領域のスイッチに切替え可能とする初期表示切替え部を設けるものとする。初期表示切替え部は、例えば、表示部１２０において、入力操作制御時にかかる初期画像設定アイコン（ボタン）を設けて、このアイコン操作によって、所定の領域のスイッチ画像の表示からスタートする設定を行うものとすることができる。
【００５７】
このような初期表示切替え部によって、初期表示として、例えば、運転者の使用頻度の高いインストルメントパネル１２の中央部に配置される各種スイッチ２１〜２５等を初期のスイッチ画像１１０として設定することが可能となる。この場合は、図４で説明したステップＳ１３０を省略できる。
【００５８】
また、運転者の行うジェスチャとして、表示されている現在のスイッチ画像１１０（所定の領域のスイッチの表示）を、希望する方向にスクロールさせるスクロールジェスチャを予め定めておき、このスクロールジェスチャによって、スクロール表示させるようにしてもよい。スクロールジェスチャは、例えば、スクロールしたい方向に人差し指を移動させるジェスチャとすることができる。これにより所定の領域のスイッチ表示から他の所定領域のスイッチの表示に簡単に変更させることができる。
【００５９】
また、本発明の最小限の構成は、所定の操作ジェスチャに対して、入力操作制御するものであり、開始ジェスチャ、領域選択ジェスチャ、拡大表示ジェスチャ、終了ジェスチャ、スクロールジェスチャの少なくとの１つに基づく処理は、必要に応じて付加したものとしてもよい。
【００６０】
また、上記第１実施形態では、開始ジェスチャと終了ジェスチャの間で入力操作制御を行うものとしたが、開始ジェスチャの後に、予め定めた所定時間の間、所定のジェスチャに伴う入力操作制御を行う（受付ける）ものとしてもよい。
【００６１】
また、上記第１実施形態では、ジェスチャ画像として、運転者の実際の手の画像１１１としたが、これに限らず、実際の手を模したロボットハンドのような画像としてもよい。あるいは、入力操作の対象となるスイッチがすべてプッシュ式のスイッチであれば、矢印のようなアイコンやポインタ等の画像としてもよい。
【００６２】
また、上記第１実施形態では、操作者を主に運転者として説明したが、車載用において、これに限定されることなく、操作者は、同乗者（助手席者等）としてもよい。
【００６３】
また、上記第１実施形態では、本操作装置を車載用として説明したが、これに限定されることなく、一般家庭、あるいは店舗等における所定機器（室内の照明器、テレビ、空調装置、オーディオ機器等）を操作するものに適用してもよい。この場合は、室内において予め定めた領域を設定しておいて、センサ部は、この領域における操作者のジェスチャを検出するようにする。また、表示部も室内の予め定めた領域で操作者がよく見える位置に設定するのがよい。
【符号の説明】
【００６４】
１０  車両
１１  室内
１３  ステアリング
２０  各種入力スイッチ
１００  操作装置
１１０  スイッチ画像
１１１  手の画像（ジェスチャ画像）
１１２  希望スイッチ画像
１２０  表示部
１３０  センサ部
１４０  制御部
【図１】
2018132824.tif 000003
【図２】
2018132824.tif 000004
【図３】
2018132824.tif 000005
【図４】
2018132824.tif 000006
【図５】
2018132824.tif 000007